(57)【要約】      （修正有）【課題】観光地・バス停留所・乗り場・路線図の情報を表示し、乗車券や入場券の発行及びパンフレットの配布案内を行う観光案内券売複合機の提供。【解決手段】観光案内券売複合機１は、観光地およびバス停留所を指定する目的地表示入力制御部１１と、片道・往復乗車券、一日乗車券、セット乗車券等を発券する乗車入場券発行部１２と、観光地のコースの情報、詳細情報、指定した系統・行き先のバス停留所の情報、バス乗り場およびバス路線図等を表示する案内表示制御部１３と、金銭処理部１４と、目的地表示入力制御部１１及び案内表示制御部１３より入力された情報に基づいてホストコンピュータ等に格納されている最新データを複合観光案内券売機１に返送する通信制御部１５と、観光地やバス停留所の情報および前売り入場券の案内情報をスピーカから発生する音声案内処理部１６と、ＣＰＵと記憶部を有し、全体の制御を司る制御部１７とを備える。【選択図】  図２
2007004335.tif 000002
【特許請求の範囲】
【請求項１】
乗り合いバスを利用した観光に利用される観光案内券売複合機であって、
目的とする観光地名又は該観光地に近接するバス停留所名を入力する入力部と、
入力された前記観光地又は前記バス停留所名と現在位置及び現在時刻とに基づいて、少なくとも１の観光ルート候補を求める処理部と、
処理部による結果に基づいて、前記観光地と前記バス停留所に関連する情報を表示する表示部と、
前記観光ルート候補から選択した観光ルートの、前記乗り合いバスに関する種々の乗車券と、前記観光地に関連する施設に関する入場券と、をセットで発券する乗車券入場券セット発行部と
を有することを特徴とする観光案内券売複合機。
【請求項２】
前記処理部は、前記処理部により求められた観光ルート候補を前記表示部に表示し、
前記乗車券入場券セット発行部は、前記表示部に表示される観光ルート候補の選択に応じて前記乗車券と前記入場券とを発券することを特徴とする請求項１に記載の観光案内券売複合機。
【請求項３】
さらに、前記処理部は、前記観光ルート候補に関連する観光地の詳細情報を取得する処理を行うことを特徴とする請求項１又は２に記載の観光案内券売複合機。
【請求項４】
さらに、候補となる観光ルート候補において臨時バスが運行されている場合は、臨時バスに関する情報を表示することを特徴とする請求項１から３までのいずれか１項に記載の観光案内券売複合機。
【請求項５】
前記処理部は、前記表示部が表示したバス停留所の指定に応じて、前記バス乗り場の詳細情報であって、予め表示されていた発車時間以外の時間をリスト表示することを特徴とする請求項１から４までのいずれか１項に記載の観光案内券売複合機。
【請求項６】
前記処理部は、前記観光地における滞在可能時間を算出し、発券時に該滞在可能時間を前記発券されたチケットに出力することを特徴とする請求項１〜５のいずれか１項に記載の複合観光案内券売複合機。
【発明の詳細な説明】
【技術分野】
【０００１】
本発明は、観光案内とそれに関連するチケットの販売とを行う観光案内券売複合機に関し、より詳細には、観光の拠点に設置され、観光客が操作することにより、観光地およびバス停留所・乗り場・路線図の情報を表示し、乗り合いバス乗車券や前売り入場券の発行およびパンフレットの配布案内を行う観光案内券売複合機に関する。
【背景技術】
【０００２】
従来から、観光案内に関する種々のサービスが行われている。例えば、目的地の電話番号を入力することにより、目的地への起点となる駅から最寄り駅までの乗車券を発行し、その乗車券中に最寄り駅から目的地までのバス路線を含めた起点となる駅から目的地までのルート、所要時間、運賃が印刷されるようにした自動券売機がある（例えば、特許文献１参照。）。また、携帯端末から目的地を指定して取得した予約番号を入力することにより、目的地への起点となる駅から最寄り駅までの乗車券を発行し、その乗車券中に最寄り駅から目的地までのバス路線を含めた起点となる駅から目的地までのルート、所要時間、運賃、最寄り駅のバス乗り場が印刷されるようにした自動券売システムがある（例えば、特許文献２参照。）。
【特許文献１】特開平１０−２３２９５８号公報（第７図）
【特許文献２】特開２００２−２９８１６４号公報（第１０、１１図）
【発明の開示】
【発明が解決しようとする課題】
【０００３】
特許文献１に記載の方法では、目的地に近い停留所、最寄り駅からその停留所までの所要時間および運賃を取得可能であるが、バスの乗車券を購入できない。また、バスの降車停留所がわかるのみであり、最寄り駅からどこの乗り場にあるどこ行きのバスに乗ればよいかわからない。また、バス路線図も取得できない。
【０００４】
特許文献２に記載の方法では、目的地に近い停留所、最寄り駅からその停留所までの所要時間および運賃、最寄り駅のバス乗り場、目的地への到着時刻を取得可能であるが、バスの乗車券を購入できない。また、最寄り駅のバス乗り場はわかるが、バスの降車停留所がわかるのみであり、その乗り場に複数系統のバス路線がある場合、どこ行きのバスに乗ればよいかわからない。また、バス路線図が取得できない。
【０００５】
すなわち、いずれの特許文献に記載の方法も、バスの乗車券を購入することができない上に、バス乗り場の位置案内および臨時バスの案内等がなく、乗り合いバスの利用という観点に着目すると充分なサービスとは言えないという問題があった。
【０００６】
また、定期観光バスであれば、立ち寄る観光地と発着時間は予め決められており、例えば１週間前に予め予約しておけばよいが、フリープランのようなオーダーメイドの観光も親しまれている。このような場合には、予定を立てるのに結構な時間を要してしまったり、臨時で休館になっている観光施設に関する情報を予め入手することも難しい。
【０００７】
本発明は、利用者が選択したやすいように、観光地、バス停留所・乗り場・路線図等の主要な情報を案内し、この案内に基づいて利用者の希望する観光ルートに関連するチケットを一括して提供する観光案内券売複合機を提供することを目的とする。
【課題を解決するための手段】
【０００８】
本発明の一観点によれば、乗り合いバスを利用した観光に利用される観光案内券売複合機であって、目的とする観光地名又は該観光地に近接するバス停留所名を入力する入力部と、入力された前記観光地又は前記バス停留所名と現在位置及び現在時刻とに基づいて、少なくとも１つの観光ルート候補を求める処理部と、処理部による結果に基づいて、前記観光地と前記バス停留所に関連する情報を表示する表示部と、前記観光ルート候補から選択した観光ルートの、前記乗り合いバスに関する種々の乗車券と、前記観光地に関連する施設に関する入場券と、をセットで発券する乗車券入場券セット発行部とを有することを特徴とする観光案内券売複合機が提供される。
【０００９】
上記観光案内券売複合機によれば、定期観光バスではなく、乗り合いバスを利用した観光においても、手間をかけずにかつ精度良く、観光地と前記バス停留所に関連する情報の表示を参照しつつ、観光に関連する乗車券入場券セットを入手することができる。
【００１０】
前記処理部は、前記処理部により求められた観光ルート候補を前記表示部に表示し、前記乗車券入場券セット発行部は、前記表示部に表示される観光ルート候補の選択に応じて前記乗車券と前記入場券とを発券することを特徴とする。これにより、観光ルート候補がいくつかある場合に、どれを選択するかがユーザにわかりやすくなる。
【００１１】
さらに、前記処理部は、前記観光ルート候補に関連する観光地の詳細情報を取得する処理を行うことを特徴とする。これにより、観光ルート候補のうちからいずれの観光ルートを選択するかに関する有効な情報を得ることができる。
【００１２】
さらに、候補となる観光ルート候補において臨時バスが運行されている場合は、臨時バスに関する情報を表示することを特徴とする。乗り合いバス以外に臨時バスまでも対象とすることで、選択の幅が広がる。
【００１３】
前記処理部は、前記表示部が表示したバス停留所の指定に応じて、前記バス乗り場の詳細情報であって、予め表示されていた発車時間以外の時間をリスト表示することを特徴とする。オーダーメイドであるために、予定外のことが起きた場合でも、アフターケアを受けることができる。
【００１４】
前記処理部は、前記観光地における滞在可能時間を算出し、発券時に該滞在可能時間を前記発券されたチケットに出力することを特徴とする。これにより、オーダーメイドであっても、精度良く観光地巡りを行うことができる。
【発明の効果】
【００１５】
以上説明したように、本発明によれば、利用者が選択しやすいように、観光地、バス停留所・乗り場・路線図等の主要な情報を案内し、この案内に基づいて利用者の希望する観光ルートに関連するチケットを一括して提供することができる。
【発明を実施するための最良の形態】
【００１６】
以下、本発明の一実施の形態による観光案内券売複合機について、図面を参照しながら具体的に説明する。
【００１７】
図１は、本実施の形態による観光案内券売複合機１の外観に関する全体構成例を示す斜視図である。観光案内券売複合機１には、目的地を表示し入力する目的地表示入力部となるタッチパネル付きのＣＲＴディスプレイ又は液晶ディスプレイによる表示画面２と、プリペイドカード投入口３と、紙幣投入口４と、硬貨投入口５と、乗車券および前売り入場券の発券口６と、釣札・釣銭返却口７と、が配置されている。表示画面２は、一般的な券売機などよりも大きな画面を有している。
【００１８】
図２は、観光案内券売複合機１の内部構成例を示す機能ブロック図である。観光案内券売複合機１は、目的地である観光地又はバス停留所の少なくともいずれか一方を指定する目的地表示入力制御部１１と、片道・往復乗車券、一日乗車券、セット乗車券および前売り入場券等の切符を発券し、案内情報の印刷・出力を行う乗車入場券発行部１２と、観光地めぐりのコースの情報、指定した観光地の詳細情報、指定した系統・行き先のバス停留所の情報、パンフレットの情報、ウォーキングコースの情報、バス乗り場およびバス路線図情報と、の少なくともいずれかを一度に又は順番に表示する制御を行う案内表示制御部１３と、投入料金を受け入れ、料金清算および釣り銭返却を行う金銭処理部１４と、目的地表示入力制御部１１から入力された情報に基づいてホストコンピュータ等に格納されている最新データを観光案内券売複合機に返送する通信制御部１５と、観光地やバス停留所の情報および前売り入場券の案内情報をスピーカから発生する音声案内処理部１６と、全体を制御するＣＰＵとプログラムやデータを記憶する記憶部（データベースを含む）ＤＢとを有し、全体の制御を司る制御部１７と、を有している。
【００１９】
図３は、観光案内券売複合機１のタッチパネル２に表示される初期画面２１を示す図である。初期画面２１は、観光地案内とバス停案内とのいずれか一方の選択を促す画面であり、観光地に向かうための詳細情報を取得する際は観光地案内を指定し、既知のバス停留所に向かうための詳細情報を取得する場合はバス停案内を指定する。一方を先に、他方を後にから選択することも可能である。
【００２０】
図４は、図３で観光地案内を指定した場合に遷移する観光地選択画面２２の一例を示す図である。観光地選択画面２２は、当駅周辺の観光地Ａ〜Ｄのリスト表示２２ａと、それぞれの観光地を指定するチェックボックス２２ｂとを有している。特定の観光地の情報を取得するときは、チェックを入れずに観光地２２ａを指定し、複数の観光地をめぐるための候補となる観光ルートを取得するときは、希望の観光地にチェック２２ｂを入れて観光地のいずれかを指定する。チェック２２ｂを入れて観光地を指定した場合には、選択した観光地ではなくチェックした観光地の情報が表示される。
【００２１】
符号２２ｄは、各観光地までの所要時間であり、符号２２ｅは、各観光地の入場制限時間であり、符号２２ｃは、ユーザが指定した観光地巡りの順番の表示であり、符号２２ｆはリセットボタンであり、符号２２ｇは指定が無い場合に押すボタンである。符号２２ｇを押すと、符号２２ｃで観光地巡りの順番を表示していても、チェック２２ｂを入れた観光地の全てのケースの観光ルートを取得する。ここで、チェック２２ｂを入れていない場合は、チェック２２ｂを入れるようメッセージで促すかまたはチェック２２ｂを全て入れたものとみなして全ての観光地の全てのケースの観光ルートを取得する。選択ができないようになっている表示は、例えば、閉館又は休館中の観光地であることを意味する（図４のＢ）。
【００２２】
図５は、図３においてバス停案内を指定した場合に遷移する系統・行き先選択画面２３の表示例を示す図である。系統・行き先選択画面２３は、当駅を発車する乗り合いバスのバス会社２３ａ、主な停留所２３ｂ、系統・行き先のリスト２３ｃを表示する。乗り合いバスの系統・行き先２３ｃからバス停留所を探す場合には、乗車するバス会社の系統・行き先２３ａ・２３ｃを指定する。また、バス停留所を直接に指定したい利用者のために、バス停のリンク２３ｄを設けており、系統・行き先２３ｃを指定せずにバス停留所のリストを表示させるように操作することができる。
【００２３】
図６は、図５において、系統・行き先およびバス停を指定した後に遷移するバス停留所選択画面２４の表示例を示す図である。このバス停留所選択画面２４は、当駅を発車する乗り合いバスのうち図５で指定した系統・行き先又は全てのバス停留所のリストを表示する。ここでは、Ｏ会館２４ａとＰ病院２４ｂのバス停が表示されている。尚、図５でバス停を指定したときは、全てのバス停留所のリストを表示する。
【００２４】
図７は、図４において複数の観光地にチェックを入れて観光地を指定した際に遷移する観光地周遊情報表示画面２５の表示例を示す図である。観光地周遊情報表示画面２５は、図４でチェックを入れた観光地をめぐって当駅に戻るための候補となるルートを求め、求められた候補となるルート２５ｂとその予定発着時間２５ｃとを表示した画面である。候補となるルート２５ｂ中の観光地の情報を取得するときは、候補となるルート中の観光地を指定する。また、候補となるルートの表示と同時に、当駅および候補となるルート中の観光地の想定発着時間２５ｃ、見学施設等の詳細情報２５ｅから２５ｊまでの操作ボタンを表示する。候補は、ある数だけ又は指定数だけ表示させることができる。セットされた総合案内を要求する場合には、図示しない観光案内サーバへアクセスするためのリンク２５ｄが設けられている。リンク２５ｄを押すと、例えばユーザの携帯電話機又はＩＣカードなどに、セットされた総合案内がダウンロードできるように送信される。
【００２５】
尚、一画面で全ての情報を表示できない場合には、前および次のボタン２５ａにより前後のいずれかを指定することにより、続きの情報を表示させることができる。また、この画面の情報を音声で聞きたい場合には、音声案内２５ｅを指定する。また、候補となるルートのバス停留所の情報を取得するときは、バス案内２５ｆを指定する。また、候補となるルート中の観光地のパンフレットを取得するときは、パンフレット２５ｇを指定する。パンフレット２５ｇを指定すると、図示しない当駅構内に設置しているパンフレット配布コーナーのパフレット配置箇所を示す配置番号およびパンフレット配布コーナーの位置を表示する。また、候補となるルートのウォーキングコースを取得するときは、ウォーキングコース２５ｈを指定する。また、表示されている情報を印刷するときは、印刷２５ｉを指定する。また、終了するときは、終了２５ｊを指定する。
【００２６】
図８は、図４又は図７の観光地周遊情報表示画面２５から観光地を指定した後に遷移した観光地情報表示画面２６を示す図である。この観光地情報表示画面２６は、指定した観光地の詳細情報を表示する。図７の観光地周遊情報表示画面２５から遷移した場合は、Ａ観光地の情報としての画面中に出発地：Ｃ観光地を表示する。また、このＡ観光地の情報を音声で聞くときは、音声案内２６ｃ−１を指定する。例えば、お寺などの観光施設の閉館時間が音声で流れてくる。また、指定した観光地のバス停留所の情報を取得するときは、バス案内２６ｃ−２を指定する。また、指定した観光地のパンフレットを取得するときは、パンフレット２６ｃ−３を指定する。パンフレット２６ｃ−３を指定すると、図示しない当駅構内に設置しているパンフレット配布コーナーのパフレット配置箇所を示す配置番号およびパンフレット配布コーナーの位置を表示する。また、指定した観光地周辺のウォーキングコースを取得するときは、ウォーキングコース２６ｃ−４を指定する。また、表示されている情報を印刷するときは、印刷２６ｅを指定する。また、終了するときは、終了２６ｆを指定する。また、指定した観光地の施設の前売り入場券を購入するときは、前売り入場券２６ｄを指定する。その他、図４の表示画面に戻る場合には、図４の表示画面へのリンク２６ｂを指定する。
【００２７】
図９は、図８の観光地情報表示画面２６で前売り入場券２６ｄを指定した後に遷移した前売り入場券案内画面２７である。この前売り入場券案内画面２７は、指定した観光地に存在する娯楽施設に入場するための前売り入場券の案内情報２７ａを表示する。前売り入場券を購入するときは、表示されている入場券のリンク２７ｂを指定する。複数枚必要なときは、表示されている入場券のリンクを指定する前に２または３または４などの枚数２７ｄを指定する。表示されている入場券のリンク２７ｂを指定すると、画面下部に金額が表示される（２７ｃ）。
【００２８】
ここで、表示されている金額を投入すると、前売り入場券が発券され、図８の観光地情報表示画面２６に遷移する。また、一画面で表示できないときは、前および次２７ｄを指定することにより、続きの情報を表示することができる。また、この画面の情報を音声で聞くときは、音声案内２７ｅ−１を指定する。また、指定した観光地のバス停留所の情報を取得するときは、バス案内２７ｅ−２を指定する。また、指定した観光地のパンフレットを取得するときは、パンフレット２７ｅ−３を指定する。パンフレットを指定すると、図示しない当駅構内に設置しているパンフレット配布コーナーのパフレット配置箇所を示す配置番号およびパンフレット配布コーナーの位置を表示する。また、指定した観光地周辺のウォーキングコースを取得するときは、ウォーキングコース２７ｅ−４を指定する。また、表示されている情報を印刷するときは、印刷２７ｆを指定する。また、終了するときは、終了２７ｇを指定する。この際、図示しないが、各観光地毎にその観光地における滞在可能時間（バス停に戻るべき時間）を提示しておくことにより、バスへの乗り遅れに起因する観光ルート巡りのミスを未然に防止することができる。
【００２９】
図１０は、図７、図８で表示している観光地への臨時バスが運行されているときに、図７、図８または図９でバス案内を指定した後に遷移した臨時バス選択画面２８である。この臨時バス選択画面２８は、臨時バス案内２８ｂと定期バス案内２８ｃとのいずれかを選択する画面であり、臨時バスを利用するときは臨時バス案内を指定し、定期バスを利用するときは定期バス案内を指定する。表示面２８ａには、臨時バス案内の詳細などが表示される。この画面を終了する場合には終了２８ｄを指定する。
【００３０】
図１１は、図７、図８で表示している観光地への臨時バスが運行されていないときであって図７、図８または図９でバス案内を指定した後、および、図１０で臨時バス案内または定期バス案内を指定した後に遷移したバス停留所情報表示画面２９である。このバス停留所情報表示画面２９は、図７でバス案内を指定したときは、候補となるルートのバス停留所の情報を表示し、図８または図９でバス案内を指定したときは、指定した観光地のバス停留所の情報を表示する。バス停留所の情報２９ａとして、乗場・乗車停留所（観光地であれば観光地名も表示）、行き先・系統（臨時バスの場合は、(臨)と表示）、発車時間、所要時間、降車停留所（観光地であれば観光地名も表示）、運賃（無料シャトルバスの場合は、「無料」と表示し、往復乗車券、セット乗車券、片道、往復のリンクは表示しない）、行き先・系統の路線図２９ｂを表示し、路線図中の乗車・降車停留所部分をハイライト表示する。
【００３１】
路線図２９ｂ中の停留所を指定すると、その停留所を降車停留所としたバス停留所情報表示画面２９を表示する。発車時間を指定すると、表示されている発車時間以降の時間をリスト表示し、降車停留所（観光地名）を指定すると、復路のバス停留所情報表示画面２９を表示する。これにより、帰りのバスの乗り場、発車時間等の情報を目的地への出発前に確認、印刷することができる。また、一画面で表示できないときは、前および次を指定することにより、続きの情報を表示する。また、この画面の情報を音声で聞くときは、音声案内２９ｃを指定する。また、表示されているバス乗り場の位置を取得するときは、乗場案内２９ｄを指定する。２人以上の場合には人数２９ｅを指定する。また、表示されている降車停留所までの往復乗車券を購入するときは、往復乗車券２９ｆ−１を指定する。また、一日乗車券を購入するときは、一日乗車券２９ｆ−２を指定する。指定した観光地に存在する娯楽施設に入場するための入場券と乗車券がセットで販売されているときは、セット乗車券２９ｆ−３のリンクを表示し、セット乗車券２９ｆ−３を指定すると、図示しないセット乗車券の一覧を表示し、その中から購入するセット乗車券２９ｆ−３を指定する。片道分のセット乗車券を購入するときは、購入するセット乗車券２９ｆ−３を指定後、片道２９ｆ−４を指定する。往復分のセット乗車券を購入するときは、購入するセット乗車券２９ｆ−３を指定後、往復２９ｆ−４を指定する。
【００３２】
また、表示されている情報を印刷するときは、印刷２９ｇを指定する。また、終了するときは、終了２９ｈを指定する。表示されている金額を投入すると、乗車券（セット乗車券の場合は入場券と乗車券）が発券され、初期画面２１に遷移する。発券された切符は、行き先順になっており、行き先において切り取るタイプのものでも良いし、磁気媒体等の記憶媒体に記憶させるタイプのものでも良い。尚、路線図に表示された停留所のうちのいずれかを、例えば操作部により操作して変更すると、この変更に応じて新たな計算が行われ、確定すると発券されるようになっていても良い。
【００３３】
次に、本実施の形態による観光案内券売複合機の利用方法について、図１２から図２０までに示すフローチャート図に基づいて説明する。フローチャートの各ステップを以下Ｓと記述する。適宜、前述する各図面を参照して説明を続ける。
【００３４】
図１２は、初期画面２１において、観光地案内を指定（Ｓ１でＹｅｓ）すると、観光地リスト（観光地選択画面２２）を表示（Ｓ２）し、観光地案内を指定せずバス停案内を指定（Ｓ１でＮｏ）すると、図１３のバス停案内指定に遷移（Ｓ１０）し、Ｓ２の後、観光地を複数指定（Ｓ３でＹｅｓ）すると、観光地めぐり（観光地周遊情報表示画面２５）を表示（Ｓ４）し、特定観光地を指定（Ｓ３でＮｏ）すると、図１４の特定観光地指定に遷移（Ｓ１１）し、Ｓ４の後、行きたいケースが見つからなければ（Ｓ５でＮｏ）、次または前を指定後、候補となるルートがあればルートを表示（Ｓ１２）する。
【００３５】
行きたいケースが見つかれば（Ｓ５でＹｅｓ）、特定観光地を指定すると（Ｓ６でＹｅｓ）、図１４の特定観光地指定に遷移（Ｓ１３）し、特定観光地を指定せず（Ｓ６でＮｏ）、パンフレットを指定（Ｓ７でＹｅｓ）すると、駅構内に設置されているパンフレット配布箇所の配置番号および配布箇所の位置を表示（Ｓ１４）する。バス案内を指定すると（Ｓ８でＹｅｓ）、観光ルートに臨時バスが運行されている（Ｓ１５でＹｅｓ）ときは、図１６のバス案内指定に遷移（Ｓ１７）し、観光ルートに臨時バスが運行されていないときは（Ｓ１５でＮｏ）、図１５のバス停留所指定に遷移し（Ｓ１６）、バス案内を指定せず（Ｓ８でＮｏ）に終了を指定すると、初期画面２１を表示（Ｓ９）する。
【００３６】
図１３は、バス停案内指定の処理であり、系統・行き先選択画面２３において、系統・行き先・バス会社のリストを表示（Ｓ２１）し、目的とする系統・行き先・バス会社があるときは（Ｓ２２でＹｅｓ）、そのリンクを指定しバス停留所のリスト（バス停留所選択画面２４）を表示し（Ｓ２３）、目的とする系統・行き先・バス会社がないときは（Ｓ２２でＮｏ）、終了を指定し初期画面２１を表示（Ｓ２６）し、Ｓ２３の後、目的とするバス停留所があるときは、そのリンクを指定して（Ｓ２４でＹｅｓ）図１５のバス停留所指定に遷移し（Ｓ２７）、目的とするバス停留所がないときは（Ｓ２４でＮｏ）、終了を指定して初期画面２１を表示する（Ｓ２５）。
【００３７】
図１４は、特定観光地指定に関する処理であり、観光地情報表示画面２６において、特定観光地の情報を表示（Ｓ３１）し、前売り入場券を指定すると（Ｓ３２でＹｅｓ）、図１７の前売り入場券指定に遷移（Ｓ３９）し、前売り入場券を指定せず（Ｓ３２でＮｏ）、音声案内を指定すると（Ｓ３３でＹｅｓ）、現在表示している画面の内容を音声で案内する（Ｓ４０）。パンフレットを指定すると（Ｓ３４でＹｅｓ）、駅構内に設置されているパンフレット配布箇所の配置番号および配布箇所の位置を表示し（Ｓ４１）、ウォーキングコースを指定すると（Ｓ３５でＹｅｓ）、特定観光地周辺のウォーキングコースを表示し（Ｓ４２）、印刷を指定すると（Ｓ３６でＹｅｓ）、現在表示している画面を印刷し（Ｓ４３）、バス案内を指定すると（Ｓ３７）、観光ルートに臨時バスが運行されているときは（Ｓ４４でＹｅｓ）、図１６のバス案内指定に遷移し（Ｓ４６）、観光ルートに臨時バスが運行されていないときは（Ｓ４４でＮｏ）、図１５のバス停留所指定に遷移し（Ｓ４５）、バス案内を指定せず（Ｓ３７でＮｏ）、終了を指定すると、初期画面２１を表示（Ｓ３８）する。
【００３８】
図１５は、バス停留所の指定処理であり、バス停留所情報表示画面２９において、乗場・乗車停留所（観光地であれば観光地名も表示）、行き先・系統、発車時間、所要時間、降車停留所（観光地であれば観光地名も表示）、運賃、路線図のバス停留所の情報を表示し（Ｓ５１）、見たいページでなければ（Ｓ５２でＮｏ）、次または前を指定して候補ページを表示し（Ｓ５９）、乗場案内を指定すると（Ｓ５３でＹｅｓ）、当駅の乗車停留所の位置を表示し（Ｓ６０）、セット乗車券を指定すると（Ｓ５４でＹｅｓ）、セット乗車券の内容を表示し、購入したいものがあれば（Ｓ６１でＹｅｓ）、購入したいセット乗車券を指定し図１８のセット乗車券発行処理を実行する（Ｓ６２）。  この際、片道乗車券を購入するときまたは往復乗車券または一日乗車券を指定すると（Ｓ５５でＹｅｓ）、図１９の乗車券発行処理を実行し（Ｓ６３）、路線図中のバス停留所を指定すると（Ｓ５６でＹｅｓ）、指定したバス停留所を降車停留所としたバス停留所の情報（バス停留所情報表示画面２９）を表示し（Ｓ６４）、発車時間を指定すると（Ｓ５７でＹｅｓ）、以降の発車時間のリストを表示し、降車停留所を指定すると（Ｓ５７でＹｅｓ）、復路のバス停留所の情報（バス停留所情報表示画面２９）を表示し（Ｓ６５）、終了を指定すると、初期画面２１を表示する（Ｓ５８）。何の指定もしないと（Ｎｏ）、初期画面２１を表示する（Ｓ５８）。
【００３９】
図１６は、バス案内指定処理の流れを示す図である。臨時バス選択画面２８において、臨時バス案内および定期バス案内のリンクを表示し（Ｓ７１）、終了を指定せず（Ｓ７２でＮｏ）臨時バス案内を指定すると（Ｓ７４でＹｅｓ）、臨時バスの案内が含まれる図１５のバス停留所指定に遷移し（Ｓ７６）、臨時バス案内を指定せず定期バス案内を指定すると（Ｓ７４でＮｏ）、定期バスの案内のみとなる図１５のバス停留所指定に遷移し（Ｓ７５）、終了を指定すると（Ｓ７２でＹｅｓ）、初期画面２１を表示（Ｓ７３）する。
【００４０】
図１７は、前売り入場券指定処理の流れを示す図である。前売り入場券案内画面２７において、前売り入場券の情報を表示し（Ｓ８１）、見たいページでなければ（Ｓ８２でＮｏ）、次または前を指定して候補ページを表示し（Ｓ８５）、見たいページであれば（Ｓ８２でＹｅｓ）、購入したい前売り入場券があるか否かを判断し、購入したい前売り入場券があれば（Ｓ８３でＹｅｓ）、購入したい前売り入場券を指定し図２０の前売り入場券発行処理を実行し（Ｓ８６）、終了を指定すると、初期画面２１を表示する（Ｓ８４）。購入したい前売り入場券がない場合も（Ｓ８３でＮｏ）、終了を指定すると、初期画面２１を表示する（Ｓ８４）。
【００４１】
図１８は、セット乗車券発行処理の流れを示す図である。バス停留所情報表示画面２９のセット乗車券発行処理において、セット乗車券の片道運賃を画面に表示し（Ｓ９１）、セット乗車券が片道でなく往復とした場合には（Ｓ９２でＮｏ）、往復を指定し往復分の運賃を表示し（Ｓ９３）、片道にしたいとき（Ｓ９２でＹｅｓ）又は、往復指定後、やはり片道にしたいときは片道を指定し片道分の運賃を表示する（Ｓ９８）。購入人数が複数のときは（Ｓ９４のＹｅｓ）、２、３または４を指定し指定分の倍となった運賃を表示し（Ｓ９９）、１人又は複数人分の運賃を入れるか、プリペイドカードを投入すると（Ｓ９５でＹｅｓ）、セット乗車券を発行し（Ｓ９６）、釣り銭、釣り札、プリペイドカードを返却する（Ｓ９７）。
【００４２】
図１９は、乗車券発行処理の流れを示す図である。バス停留所情報表示画面２９の乗車券発行処理において、片道運賃または往復運賃または一日乗車券の運賃を表示し（Ｓ１０１）、購入人数が複数のときは（Ｓ１０２でＹｅｓ）、２、３または４を指定し指定分の倍となった運賃を表示し（Ｓ１０６）、１人又は複数人分の運賃、プリペイドカードを投入すると（Ｓ１０３でＹｅｓ）、片道運賃または往復運賃または一日乗車券を発行し（Ｓ１０４）、釣り銭、釣り札、プリペイドカードを返却する（Ｓ１０５）。
【００４３】
図２０は、前売り入場券発行処理の流れを示す図である。前売り入場券案内画面２７の前売り入場券発行処理において、前売り入場券の金額を表示（Ｓ１１１）し、購入人数が複数のときは（Ｓ１１２でＹｅｓ）、２、３または４を指定し指定分の倍となった運賃を表示し（Ｓ１１６）、１人又は複数人分の料金、プリペイドカードを投入すると（Ｓ１１３でＹｅｓ）、前売り入場券を発行し（Ｓ１１４）、釣り銭、釣り札、プリペイドカードを返却する（Ｓ１１５）。
【００４４】
以下に、図２で示す構成からなる複合観光案内券売機１の各部の動作について説明する。図２において、目的地表示入力制御部１１は、初期画面２１における目的地である観光地およびバス停留所の指定により、詳細な観光地、系統・行き先およびバス停留所の選択画面、即ち観光地選択画面２２、系統・行き先選択画面２３、バス停留所選択画面２４を表示し、観光地選択画面２２、バス停留所選択画面２４での観光地、バス停留所の指定を受け、案内表示制御部１３に対し観光地およびバス停留所の入力情報を通知する。
【００４５】
乗車入場券発行部１２は、前売り入場券案内画面２７において、前売り入場券の料金を投入すると、前売り入場券を発券口６に発券し、バス停留所情報表示画面２９において、片道乗車券、往復乗車券、一日乗車券およびセット乗車券の料金を投入すると、片道乗車券、往復乗車券、一日乗車券およびセット乗車券を発券口６に発券する。また、観光地周遊情報表示画面２５、観光地情報表示画面２６、前売り入場券案内画面２７、バス停留所情報表示画面２９において、印刷の指定により、当駅構内に設置されたプリンタに対し、印刷電文を送信する。
【００４６】
案内表示制御部１３は、観光地選択画面２２、バス停留所選択画面２４での観光地、バス停留所の指定により、観光地およびバス停留所の入力情報を取得し、入力情報に基づいた詳細情報、即ち観光地周遊情報表示画面２５、観光地情報表示画面２６、およびバス停留所情報表示画面２９を表示する。また、観光地周遊情報表示画面２５にて、特定観光地または当駅を指定することにより、観光地情報表示画面２６を表示する。
【００４７】
観光地情報表示画面２６において、前売り入場券を指定することにより、前売り入場券案内画面２７を表示する。
【００４８】
観光地周遊情報表示画面２５および観光地情報表示画面２６において、バス案内を指定すると、その観光地へ臨時バスが運行されているときは、臨時バス選択画面２８を表示し、臨時バス選択画面２８にて臨時バス案内を指定すると、臨時バスの系統・行き先のバス停留所情報表示画面２９を表示し、定期バス案内を指定すると、定期バスの系統・行き先のバス停留所情報表示画面２９を表示する。
【００４９】
バス停留所情報表示画面２９において、発車時間を指定すると、表示している発車時間以降の時間をリスト表示する。降車停留所を指定すると、復路のバス停留所情報表示画面２９を表示する。乗場案内を指定すると、乗車停留所付近の地図情報を表示する。バス路線図中のバス停留所を指定すると、そのバス停留所を降車停留所としたバス停留所の情報を表示する。セット乗車券を指定すると、図示しない発行しているセット乗車券の一覧および金額を表示する。一日乗車券を指定すると、発行している一日乗車券の金額を表示する。
【００５０】
金銭処理部１４は、前売り入場券案内画面２７およびバス停留所情報表示画面２９において、前売り入場券、片道乗車券、往復乗車券、一日乗車券およびセット乗車券の料金をプリペイドカード投入口３、紙幣投入口４、硬貨投入口５から投入されると、受け入れた料金と画面に表示している合計金額とに基づいて料金精算を行い、精算後の料金を釣札・釣銭返却口７に返却し、またプリペイドカードの点数を減点する。
【００５１】
通信制御部１５は、目的地表示入力制御部１１および案内表示制御部１３より入力された情報に基づいて通信回線１８を通じてホストコンピュータ等に格納されている最新データを受信し、制御部１７に返送する。音声案内処理部１６は、観光地周遊情報表示画面２５、観光地情報表示画面２６、前売り入場券案内画面２７、バス停留所情報表示画面２９において、音声案内の指定により、観光地やバス停留所の情報および前売り入場券の案内情報をスピーカから発生する。制御部１７は、内部にＣＰＵと記憶部を有し、演算や各部の制御を行い、通信制御部１５から最新データを受け取り記憶する。
【００５２】
尚、上記の各フローチャートに記載した方法をコンピュータに実行させるプログラムも本発明の範疇に入るものである。
【００５３】
以上に説明したように、本発明の実施の形態による観光案内券売複合機によれば、利用者が選択したやすいように、観光地、バス停留所・乗り場・路線図等の主要な情報を案内し、この案内に基づいて利用者の希望する観光ルートに関連するチケットを一括して提供することができる。
【００５４】
より詳細には、最寄り駅の構内で希望する目的地を指定することにより、その場で目的地までの乗車券を取得でき、かつ、バスの乗り場および発車時間を確認でき、スムーズに乗り合いバスを利用して目的地に到着することができるという利点がある。臨時バスが運行されているときは、臨時バスの乗り場および発車時間を確認でき、合理的に目的地に到着することができる。
【００５５】
また、目的地に設置されている娯楽施設への入場を希望している利用者は、バス乗車券を購入すると同時に入場券も購入でき、かつ、セット乗車券または前売り入場券での購入となるので、安価で利用できる。駅構内に設置されているパフレット配布コーナーの配置番号を取得することで、安価な設備で時間をかけずに目的地のパンフレットを手にすることができ、目的地およびバス停留所の情報を適宜印刷することにより、いつでも確認できるため便利である。印刷は、印刷設備軽減のため、駅構内に設置している印刷専用の印刷機を使用しても良い。電子的手段により相手の携帯端末に送ることで紙を節約することも可能である。
【産業上の利用可能性】
【００５６】
本発明は、観光案内券売複合機に利用可能である。
【図面の簡単な説明】
【００５７】
【図１】本発明の実施の形態による観光案内券売複合機の全体構成を示す斜視図である。
【図２】本実施の形態による観光案内券売複合機の構成例を示す機能ブロック図である。
【図３】本実施の形態による観光案内券売複合機のタッチパネルに表示される初期画面である。
【図４】本実施の形態による観光案内券売複合機の当駅周辺の観光地のリストを表示した観光地選択画面である。
【図５】本実施の形態による観光案内券売複合機の当駅を発車する乗り合いバスのバス会社、系統・行き先のリストを表示した系統・行き先選択画面である。
【図６】本実施の形態による観光案内券売複合機のバス停留所のリストを表示したバス停留所選択画面である。
【図７】観光地をめぐって当駅に戻るための候補となるルートを表示した観光地周遊情報表示画面である。
【図８】本実施の形態による観光案内券売複合機の観光地の詳細情報を表示した観光地情報表示画面である。
【図９】本実施の形態による観光案内券売複合機の観光地に存在する娯楽施設に入場するための前売り入場券の情報を表示した前売り入場券案内画面である。
【図１０】本実施の形態による観光案内券売複合機の臨時バス案内と定期バス案内のどちらかを選択する臨時バス選択画面である。
【図１１】本実施の形態による観光案内券売複合機の観光地のバス停留所の情報を表示したバス停留所情報表示画面である。
【図１２】本実施の形態による観光案内券売複合機の初期画面から観光地周遊情報表示画面までの処理を示すフローチャートである。
【図１３】本実施の形態による観光案内券売複合機の系統・行き先選択画面の処理を示すフローチャートである。
【図１４】本実施の形態による観光案内券売複合機の観光地情報表示画面の処理を示すフローチャートである。
【図１５】本実施の形態による観光案内券売複合機のバス停留所情報表示画面の処理を示すフローチャートである。
【図１６】本実施の形態による観光案内券売複合機の臨時バス選択画面の処理を示すフローチャートである。
【図１７】本実施の形態による観光案内券売複合機の前売り入場券案内画面の処理を示すフローチャートである。
【図１８】本実施の形態による観光案内券売複合機のセット乗車券発行処理のフローチャートである。
【図１９】本実施の形態による観光案内券売複合機の乗車券発行処理のフローチャートである。
【図２０】本実施の形態による観光案内券売複合機の前売り入場券発行処理のフローチャートである。
【符号の説明】
【００５８】
１    観光案内券複合売機
２    タッチパネル
３    プリペイドカード投入口
４    紙幣投入口
５    硬貨投入口
６    乗車券および前売り入場券の発券口
７    釣札・釣銭返却口
１１    目的地表示入力制御部
１２    乗車入場券発行部
１３    案内表示制御部
１４    金銭処理部
１５    通信制御部
１６    音声案内処理部
１７    制御部
１８    通信回線
２１    初期画面
２２    観光地選択画面
２３    系統・行き先選択画面
２４    バス停留所選択画面
２５    観光地周遊情報表示画面
２６    観光地情報表示画面
２７    前売り入場券案内画面
２８    臨時バス選択画面
２９    バス停留所情報表示画面
【図１】
2007004335.tif 000003
【図２】
2007004335.tif 000004
【図３】
2007004335.tif 000005
【図４】
2007004335.tif 000006
【図５】
2007004335.tif 000007
【図６】
2007004335.tif 000008
【図７】
2007004335.tif 000009
【図８】
2007004335.tif 000010
【図９】
2007004335.tif 000011
【図１０】
2007004335.tif 000012
【図１１】
2007004335.tif 000013
【図１２】
2007004335.tif 000014
【図１３】
2007004335.tif 000015
【図１４】
2007004335.tif 000016
【図１５】
2007004335.tif 000017
【図１６】
2007004335.tif 000018
【図１７】
2007004335.tif 000019
【図１８】
2007004335.tif 000020
【図１９】
2007004335.tif 000021
【図２０】
2007004335.tif 000022